(57)【要約】【課題】円筒型カットアウト下部の開口部に取り付ける蓋部材を吊り下げられた状態での向きに拘わらずに所望の姿勢で保持することにより、強風などの作業環境でも安定して作業できるようにして、その取付作業を容易化することのできる取付操作工具を提供すること。【解決手段】円筒型カットアウトの蓋部材の突起部の周囲を囲むように形成されて該蓋部材の本体部を載置可能な棒状部材１２と、その蓋部材の突起部の下端部を載置する状態で支持する受け部材１３と、この棒状部材１２および受け部材１３を連結する壁面部材１４と、を有する取付操作アダプタ１０が蓋部材の取付作業に必要な長さを有する操作棒の先端に設けられており、該棒状部材の先端部１２ｂが突起部の周囲を囲むように延在する水平部１２ａの延長面よりも手前側に屈曲している。【選択図】図１
2008243614.tif 000002
【特許請求の範囲】
【請求項１】
円筒型カットアウトの下部に開口する開口部に蓋部材を取り付ける作業を遠隔位置から行う際に用いる工具であって、
円筒型カットアウトの蓋部材が、開口部を閉止する本体部と、開口部に取り付けられたときに外面側になる該本体部の中央から外方に向かって突出する突起部と、を備えて、該突起部の基端部側が円筒型カットアウトの本体側に紐状材料により連結されているのに対して、
円筒型カットアウトの蓋部材の突起部の周囲を囲むように形成されて該蓋部材の本体部を載置可能な所望の強度を有する棒状部材が該円筒型カットアウトの設置位置での操作を実現する長さを有する操作棒の先端に設けられており、
該棒状部材の先端が突起部の周囲を囲むように延在する平面の延長面よりも手前側に屈曲していることを特徴とする円筒型カットアウトの蓋部材の取付操作工具。
【請求項２】
前記棒状部材よりも操作棒側に位置して円筒型カットアウトの蓋部材の突起部の先端を受ける受け部材を備えており、
該受け部材は、棒状部材の先端側の開口付近に、該棒状部材側に徐々に接近するように傾斜する斜面を有することを特徴とする請求項１に記載の円筒型カットアウトの蓋部材の取付操作工具。
【請求項３】
前記受け部材は、棒状部材の先端側の反対側に、該棒状部材側に向かう壁面部材が設けられていることを特徴とする請求項２に記載の円筒型カットアウトの蓋部材の取付操作工具。
【請求項４】
前記円筒型カットアウトの蓋部材の突起部を収容可能な開口を有するとともに該突起部の周囲の該蓋部材の本体部を載置可能な開口縁を有する保持部材が操作棒の先端に当該開口が位置するように設けられており、
前記棒状部材が該保持部材の開口縁に略一致する形状に形成されているとともに、当該蓋部材の突起部の突出方向と平行にスライド可能に当該保持部材に取り付けられていることを特徴とする請求項１に記載の円筒型カットアウトの蓋部材の取付操作工具。
【請求項５】
前記棒状部材の操作棒の先端に対する相対的な姿勢を調整する姿勢調整手段を該操作棒の先端に備えることを特徴とする請求項１から４のいずれかに記載の円筒型カットアウトの蓋部材の取付操作工具。
【請求項６】
前記棒状部材側の部材が操作棒の先端に着脱可能に取り付けられていることを特徴とする請求項１から５のいずれかに記載の円筒型カットアウトの蓋部材の取付操作工具。
【発明の詳細な説明】
【技術分野】
【０００１】
本発明は、円筒型カットアウトの蓋部材の取付操作工具に関し、詳しくは、円筒型カットアウトの下部に開口する開口部に蓋部材を取り付ける作業を遠隔位置から容易に行うことを可能にするものに関する。
【背景技術】
【０００２】
従来、各家庭などの負荷装置に商用電力を供給するために、配電線から引込電線を分岐させることが行われており、その途中には、変圧器の故障や地絡短絡等の事故などが、商用電力の流れる本線の配電線にまで影響しないように、ヒューズを内装するカットアウトが介装されている。
【０００３】
このカットアウトには、設置場所に応じて形式が使い分けられており、例えば、円筒形状に形成されて、その下部に開口部を開口可能にすることにより、内装するヒューズを交換できるように設計されているものが利用されている。この円筒型カットアウトでは、その下部の開口部に蓋部材を着脱可能に取り付けて閉止（密栓）するように設計されており、このようなカットアウトでも、電力供給を停止することなく、遠隔位置から作業を行う、所謂、間接活線工法が推奨されていることから、その下部の開口部に蓋部材を取り付けて閉止する作業を遠隔位置から行い得るようにする工具が提案されて、実際に使用されている（例えば、特許文献１参照）。
【０００４】
この上記文献１に記載の円筒型カットアウトの蓋部材の取付操作工具にあっては、その蓋部材を先端部に保持する作動アームを、棒状の絶縁操作棒の先端に回動可能に取り付けるとともに、その作動アームが絶縁操作棒の延長方向に一致する姿勢まで回動した状態からさらに回動することを制限するようになっている。この取付操作工具では、絶縁操作棒の先端で作動アームが自由に回動することにより、円筒型カットアウトの下部に吊り下げられている蓋部材をその作動アームの先端部に容易に保持させることができ、この後に、その作動アームを絶縁操作棒の延長方向に一致させた状態にすることにより、その円筒型カットアウト下部の開口部に蓋部材を容易に差し込んで閉止することができるように設計されている。
【０００５】
しかしながら、この取付操作工具にあっては、強風の作業環境では、作動アームの先端部に保持する蓋部材が飛んでしまったり、作動アームが不用意に戻る方向に回動してしまうなどして、スムーズに円筒型カットアウト下部の開口部に蓋部材を取り付ける作業を完了することができない。
【０００６】
また、この取付操作工具では、その蓋部材も、円筒型カットアウトを作製する各社の仕様によって異なる形状に作製されていることから、その多種多様な蓋部材を作動アームの先端部に保持することができなかったり、難しかったりする。ただし、円筒型カットアウトは、概略同様な構成に作製されていることから、その蓋部材も全く形状が異なる訳ではない。
【０００７】
さらに、この取付操作工具では、蓋部材の外面側に作動アームの先端部を直接当接させて保持する構造に設計されていることから、その蓋部材が内面側を作業者に向けている状態で吊り下げられている場合には、その外面側を向けるようにしながら作動アームの先端部を当接させて保持する作業を行わなければならず、困難であった。
【０００８】
なお、この蓋部材の吊り下げられた状態での向きの不都合を解消することのできる取付操作工具を本出願人は提案している（例えば、特許文献２参照）。
【特許文献１】特開平１１−１７０１７９号公報
【特許文献２】特開２００６−１４７４７６号公報
【発明の開示】
【発明が解決しようとする課題】
【０００９】
そこで、本発明は、上記文献２と異なる構造により、吊り下げられた状態での向きに拘わらずに蓋部材を所望の姿勢で保持することができるのに加えて、強風などの作業環境でも容易に円筒型カットアウト下部の開口部に蓋部材を取り付けることができるとともに、形状の異なる多種多様な蓋部材でも簡単に適正な姿勢で保持できるようにして、円筒型カットアウト下部の開口部に蓋部材を取り付ける作業を容易化することのできる円筒型カットアウトの蓋部材の取付操作工具を提供することを目的とする。
【課題を解決するための手段】
【００１０】
上記課題を解決する円筒型カットアウトの蓋部材の取付操作工具の第１の発明は、円筒型カットアウトの下部に開口する開口部に蓋部材を取り付ける作業を遠隔位置から行う際に用いる工具であって、円筒型カットアウトの蓋部材が、開口部を閉止する本体部と、開口部に取り付けられたときに外面側になる該本体部の中央から外方に向かって突出する突起部と、を備えて、該突起部の基端部側が円筒型カットアウトの本体側に紐状材料により連結されているのに対して、円筒型カットアウトの蓋部材の突起部の周囲を囲むように形成されて該蓋部材の本体部を載置可能な所望の強度を有する棒状部材が該円筒型カットアウトの設置位置での操作を実現する長さを有する操作棒の先端に設けられており、該棒状部材の先端が突起部の周囲を囲むように延在する平面の延長面よりも手前側に屈曲していることを特徴とするものである。
【００１１】
この発明では、蓋部材の突起部が手前側で見える状態で紐状材料により円筒型カットアウトに吊り下げられている場合には、その紐状材料の裏側に操作棒先端の棒状部材を位置させて降下させることにより、その棒状材料を紐状材料と本体部の間に進入させるとともに突起部の周囲を囲む状態にして蓋部材（本体部）を支持して保持することができる。一方、蓋部材の突起部が背面側に位置して見えない状態で紐状材料により円筒型カットアウトに吊り下げられている場合には、その紐状材料の裏側に操作棒先端の棒状部材を位置させるとともに、その棒状部材の先端をその紐状材料の手前側に位置させるように引っ掛けた状態にして、その先端の延長方向に操作棒を回転させた状態で降下させることにより、その蓋部材を突起部が手前側になるように反転させて上記と同様の状態にすることができ、その棒状材料を紐状材料と本体部の間に進入させて突起部の周囲を囲む状態で蓋部材（本体部）を支持して保持することができる。したがって、本体部の形状がメーカーによって多少異なる蓋部材であっても、突起部の向きに拘わらずに、その突起部を囲むようにして本体部を脱落しないように保持することができ、そのまま操作棒を操作して蓋部材を円筒型カットアウト下部の開口部内に向けて差し込むことにより、その蓋部材を円筒型カットアウトの開口内に取り付けて閉止することができる。
【００１２】
上記課題を解決する円筒型カットアウトの蓋部材の取付操作工具の第２の発明は、上記第１の発明の特定事項に加え、前記棒状部材よりも操作棒側に位置して円筒型カットアウトの蓋部材の突起部の先端を受ける受け部材を備えており、該受け部材は、棒状部材の先端側の開口付近に、該棒状部材側に徐々に接近するように傾斜する斜面を有することを特徴とするものである。
【００１３】
この発明では、蓋部材の突起部を棒状部材内に先端側開口から案内して、その蓋部材の本体部を棒状部材で支持する状態にする際には、その蓋部材の突起部の先端を受け部材の斜面に摺接させつつ奥側に案内して受ける状態にして支持（保持）することができる。したがって、蓋部材を円筒型カットアウト下部の開口部内に差し込む際に、蓋部材の本体部を支持する棒状部材に全ての荷重を掛けるのではなく、その蓋部材の突起部を受け部材でも支持して、円筒型カットアウトの開口内への差込をアシストすることができ、棒状部材の不必要な強度確保を不要にして、軽量かつ簡易に作製可能にすることができる。
【００１４】
上記課題を解決する円筒型カットアウトの蓋部材の取付操作工具の第３の発明は、上記第２の発明の特定事項に加え、前記受け部材は、棒状部材の先端側の反対側に、該棒状部材側に向かう壁面部材が設けられていることを特徴とするものである。
【００１５】
この発明では、蓋部材の突起部を受け部材の斜面に摺接させつつ棒状部材内に先端側開口から奥側に案内して支持（保持）する際に、その蓋部材が棒状部材内から外れてしまうことを壁面部材に衝止させることができ、棒状部材内（受け部材上）に突起部が位置するように保持することができる。したがって、蓋部材を円筒型カットアウト下部の開口部内に差し込む際に、蓋部材を棒状部材と受け部材により安定した姿勢で保持することができ、円筒型カットアウトの開口内に蓋部材を適正な姿勢のまま差し込むことができる。
【００１６】
上記課題を解決する円筒型カットアウトの蓋部材の取付操作工具の第４の発明は、上記第１の発明の特定事項に加え、前記円筒型カットアウトの蓋部材の突起部を収容可能な開口を有するとともに該突起部の周囲の該蓋部材の本体部を載置可能な開口縁を有する保持部材が操作棒の先端に当該開口が位置するように設けられており、前記棒状部材が該保持部材の開口縁に略一致する形状に形成されているとともに、当該蓋部材の突起部の突出方向と平行にスライド可能に当該保持部材に取り付けられていることを特徴とするものである。
【００１７】
この発明では、棒状材料を紐状材料と本体部の間に進入させるとともに突起部の周囲を囲む状態にして蓋部材（本体部）を保持する状態にした後には、その棒状部材と共に蓋部材を保持部材に向けて降下（スライド）させることにより、その棒状部材内に位置する突起部をその保持部材の開口内に進入させて蓋部材の本体部を開口縁上に載置させた状態で保持することができる。したがって、蓋部材を円筒型カットアウト下部の開口部内に差し込む際に、蓋部材の本体部を支持する棒状部材に全ての荷重を掛けるのではなく、その棒状部材と共に蓋部材の本体部を保持部材の開口縁で支持して、円筒型カットアウトの開口内への差込をアシストすることができ、棒状部材の不必要な強度確保を不要にして、軽量かつ簡易に作製可能にすることができる。
【００１８】
上記課題を解決する円筒型カットアウトの蓋部材の取付操作工具の第５の発明は、上記第１から４のいずれかの発明の特定事項に加え、前記棒状部材の操作棒の先端に対する相対的な姿勢を調整する姿勢調整手段を該操作棒の先端に備えることを特徴とするものである。
【００１９】
この発明では、棒状部材の操作棒先端に対する相対的な姿勢、例えば、相対的な角度を円筒型カットアウトからの遠隔位置に応じて調整することにより、その円筒型カットアウト下部の開口部に対する蓋部材の進入角度を最適に調整することができる。したがって、円筒型カットアウト下部の開口部に蓋部材をスムーズに進入させることができ、その蓋部材をより容易に円筒型カットアウトの開口内に取り付けて閉止することができる。
【００２０】
上記課題を解決する円筒型カットアウトの蓋部材の取付操作工具の第６の発明は、上記第１から５のいずれかの発明の特定事項に加え、前記棒状部材側の部材が操作棒の先端に着脱可能に取り付けられていることを特徴とするものである。
【００２１】
この発明では、汎用の操作棒の先端に棒状部材などを必要に応じて取り付けて円筒型カットアウトの蓋部材の取付操作工具として利用することができる。したがって、他の工具と汎用の操作棒を共通利用することができ、負担なく準備することができる。
【発明の効果】
【００２２】
このように本発明によれば、蓋部材が突起部を手前側あるいは背面側に位置させるなど自由な姿勢を採りえる状態で紐状材料により円筒型カットアウトに吊り下げられていても、その紐状材料に棒状部材を引っ掛けて適宜その蓋部材を反転させることができ、メーカーによって形状の異なる突起部でもその周囲を棒状部材で囲む状態にして脱落させることがないように本体部を支持して保持することができる。このため、そのまま円筒型カットアウト下部の開口部内に向けて移動させるだけで、保持する蓋部材を差し込んで取り付けることができる。したがって、円筒型カットアウトに不規則な姿勢で吊り下げられている多種多様の蓋部材を、強風などの作業環境でも、その円筒型カットアウト下部の開口部に容易に取り付けて閉止することができる。
【発明を実施するための最良の形態】
【００２３】
以下、本発明の最良の実施形態を図面に基づいて説明する。図１〜図１１は本発明に係る円筒型カットアウトの蓋部材の取付操作工具の第１実施形態を示す図であり、この取付操作工具は、図１に示す取付操作アダプタ１０を図３に示す絶縁操作棒３０の先端に取り付けて、図４や図５に示す円筒型カットアウト１００の挿入口１３３に蓋部材１３４を取り付けて閉止（密閉）する際に使用するように設計されている。
【００２４】
図１において、取付操作アダプタ１０は、図４や図５に示す円筒型カットアウト１００の蓋部材１３４を保持する保持部１１と、この保持部１１を任意の相対角度になるように連結して支持させるとともに図３に示す絶縁操作棒３０の先端に着脱する脱着部２１と、を組み立てることにより構築されており、その絶縁操作棒３０の先端に脱着部２１を介して取り付けた保持部１１により蓋部材１３４を所望の姿勢で保持することによって遠隔位置に設置されている円筒型カットアウト１００への蓋部材１３４の取付作業を行うことを可能にする。
【００２５】
ここで、円筒型カットアウト１００は、例えば、図４に示すように、ヒューズ筒１３２を本体部１３１の下部に開口する挿入口１３３から差し込んでセットするようになっており、そのヒューズ筒１３２内に内装する不図示のヒューズを介して電源側接続部１３６と負荷側接続部１３７との間を電気的に接続して、商用電源側の電線から分岐させた電線Ｄ１を負荷装置側の電線Ｄ２に導通接続させるように設計されている。
【００２６】
この円筒型カットアウト１００の本体部１３１下部の挿入口１３３は、円筒形状部１３４ａを外側（下側）に向けた姿勢の蓋部材１３４を押し付けることにより、その挿入口１３３の外縁側の内周面の複数箇所に設置されている板バネ１３５を押し広げて落下しないようにその蓋部材１３４を取り付けることができる一方、反対に下方に引かれることによりその挿入口１３３の外縁の板バネ１３５を押し広げてその蓋部材１３４を離脱させることができるようになっている。
【００２７】
そして、この円筒型カットアウト１００の蓋部材１３４は、本体部１３１の下部に一端側を固設された吊り下げ紐（紐状材料）１３８の他端側に連結されており、その吊り下げ紐１３８により落下して紛失することが防止されているとともに、その吊り下げ紐１３８を引っ張ることによりその挿入口１３３から容易に離脱させることができる。
【００２８】
また、この円筒型カットアウト１００は、例えば、図５に示すように、本体部１３１などの形状がメーカーに応じて異なっていることから、その蓋部材１３４の形状もメーカー各社毎によって異なる形状に設計されている。例えば、図６（ａ）に示すように、図４の蓋部材１３４Ａは、円筒型カットアウト１００の挿入口１３３に取り付けて閉止する円盤形状部１３４ｂの外側となる下側中央からその外方に向かって突出させている円筒形状部１３４ａの側方に吊り下げ紐１３８を固定している。また、図６（ｂ）に示すように、図５の蓋部材１３４Ｂは、円盤形状部１３４ｂの下側中央から突出させている円筒形状部１３４ａに吊り下げ紐１３８を貫通させて固定している。さらに、図６（ｃ）に示すように、円筒型カットアウト１００の挿入口１３３への取付状態の図示は省略するが、蓋部材１３４Ｃは、円盤形状部１３４ｂよりも小径に形成されている傘形状部１３４ｃの下側中央から突出させている円筒形状部１３４ａに吊り下げ紐１３８を貫通させて固定している。すなわち、この蓋部材１３４は、円盤形状部１３４ｂや傘形状部１３４ｃが径の異なる本体部を構成するとともに、円筒形状部１３４ａが突起部を構成している。なお、蓋部材１３４Ａ〜１３４Ｃの円筒形状部１３４ａは、円筒型カットアウト１００のヒューズ筒１３２下部を差し込んで保持することができるように、同一の内径を有して高さも大きく違わない円筒形状に作製されている。
【００２９】
これに対して、保持部１１は、棒状部材１２と、受け部材１３と、壁面部材１４と、連結支持部材１５と、がそれぞれ必要な形状に変形されて構成されており、例えば、図６（ｃ）に示す最小径の傘形状部１３４ｃを有する蓋部材１３４でも問題なく利用することができるように設計されて互いに溶接あるいはネジ止めするなどされて連設することにより作製されている。このことから、以下の説明では、図６（ｃ）に示す蓋部材１３４Ｃを基準にして説明する（次に説明する実施形態においても同様）。
【００３０】
棒状部材１２は、図２にも示すように、蓋部材１３４の円筒形状部１３４ａを側方から案内可能に一部を開口する概略円形形状に形成されているとともに、その円筒形状部１３４ａの周囲の少なくとも半周程度（その半周以上に形成してもよい）を囲むように湾曲されており、この棒状部材１２は、受け部材１３から円筒形状部１３４ａ程度の高さ方向に離隔する位置でその受け部材１３と略平行になる水平方向に周回している。また、この棒状部材１２は、その受け部材１３と略平行になる水平部１２ａの両側に位置する先端部１２ｂおよび後述する壁面部材１４との連設部１２ｃが互いに離隔することにより、蓋部材１３４の円筒形状部１３４ａを内部に案内する開口部を形成しており、この先端部１２ｂおよび連設部１２ｃは、受け部材１３側（絶縁操作棒３０に接近する手前側）に屈曲するように形成されている。
【００３１】
これにより、この棒状部材１２は、蓋部材１３４の円筒形状部１３４ａを先端部１２ｂと連設部１２ｃの間に位置させつつその先端部１２ｂと連設部１２ｃの傾斜を利用することにより水平部１２ａ側内部に容易に案内することができ、その水平部１２ａが蓋部材１３４の傘形状部１３４ｃの下面側を支持する姿勢でその蓋部材１３４を保持することができる。
【００３２】
受け部材１３は、棒状部材１２の先端部１２ｂと連設部１２ｃの間から水平部１２ａ側に向かって延在するように形成されてその水平部１２ａ側の奥側で支持されており、この受け部材１３は、その棒状部材１２の水平部１２ａにより囲まれる領域内に位置する本体部１３ａがその水平部１２ａと略平行に形成されている。また、この受け部材１３は、蓋部材１３４の円筒形状部１３４ａを案内可能に開口する棒状部材１２の先端部１２ｂと連設部１２ｃの間に位置する先端側が、その先端部１２ｂおよび連設部１２ｃと同様に絶縁操作棒３０に接近する手前側に屈曲して傾斜する傾斜部１３ｂに形成されており、この受け部材１３は、棒状部材１２の水平部１２ａから蓋部材１３４の円筒形状部１３４ａの高さ程度で離隔する位置の本体部１３ａから傾斜部１３ｂが徐々に絶縁操作棒３０に接近する手前側に傾斜する。ここで、この受け部材１３は、その上面側全面にスポンジなどの弾性材料１３ｃが貼付されており、後述するように、その上面側に載置する蓋部材１３４の円筒形状部１３４ａのエッジ等が変形しないように支持することができるようになっている。
【００３３】
これにより、この受け部材１３は、棒状部材１２の水平部１２ａが蓋部材１３４の傘形状部１３４ｃの下面側を支持するようにその先端部１２ｂと連設部１２ｃで案内する際に、その蓋部材１３４の円筒形状部１３４ａの下端部に傾斜部１３ｂを摺接させて本体部１３ａ側にスムーズに案内することができ、棒状部材１２の水平部１２ａが蓋部材１３４の傘形状部１３４ｃの下面側を支持するのと同時に、本体部１３ａが蓋部材１３４の円筒形状部１３４ａの下端部を載置する状態で支持することができる。このため、受け部材１３は、棒状部材１２が単独で蓋部材１３４を支持する必要をなくすことができ、一緒にその蓋部材１３４を支持して円筒型カットアウト１００の挿入口１３３への取付作業を実現することにより、単独で蓋部材１３４を支持して保持する場合よりも棒状部材１２に必要な強度を少なくして軽量かつ安価に作製することを可能にする。
【００３４】
壁面部材１４は、棒状部材１２と略同等の径で周回する概略円筒形状の一部を切り出した形状に形成されて、その棒状部材１２の水平部１２ａや受け部材１３と直交する姿勢になるように、その受け部材１３の本体部１３ａの後端側および棒状部材１２の連設部１２ｃが連設されている。また、この壁面部材１４は、その受け部材１３との連設部１４ａから棒状部材１２の連設部１２ｃを連設する箇所を通過させた先端部１４ｂが形成されており、この壁面部材１４の先端部１４ｂは、反対側の棒状部材１２の先端部１２ｂとの間に、蓋部材１３４の円筒形状部１３４ａを案内する開口を形成する程度まで延長されて形成されている。
【００３５】
これにより、この壁面部材１４は、棒状部材１２の先端部１２ｂおよび連設部１２ｃと、受け部材１３の傾斜部１３ｂとで案内する蓋部材１３４の円筒形状部１３４ａを、受け部材１３との連設部１４ａ側（棒状部材１２の水平部１２ａ側）で衝止して行き過ぎてしまうことを制限することができ、また反対に、その蓋部材１３４の円筒形状部１３４ａが棒状部材１２の先端部１２ｂと連設部１２ｃの間から外れようとするのを回り込んでいる先端部１４ｂで衝止して保持する状態を維持することができる。なお、この壁面部材１４の先端部１４ｂの機能は、棒状部材１２をこの壁面部材１４の先端部１４ｂと同程度まで周回させることにより機能させるようにしてもよいことは言うまでもない。
【００３６】
連結支持部材１５は、受け部材１３が連設されている壁面部材１４の連設部１４ａから脱着部２１との連結側に延長する板形状に形成されており、この連結支持部材１５は、先端側の壁面部材１４に対して略直角になるように捻られて基端側が脱着部２１側に向かうように形成されている。この連結支持部材１５は、その基端部に脱着部２１の蝶ネジ２３を差し込んで連結させることができるように不図示のネジ穴が開口している。
【００３７】
これにより、この連結支持部材１５は、円筒型カットアウト１００の挿入口１３３に蓋部材１３４を取り付ける際に、大きく撓むことなく、その蓋部材１３４を保持する棒状部材１２や受け部材１３の姿勢を維持することができ、その挿入口１３３に蓋部材１３４をスムーズに差し込んで取り付けることができる。
【００３８】
また、脱着部２１は、先端側に保持部１１の連結支持部材１５を連結するヘッド部２２が形成されているとともに、その基端側に絶縁操作棒３０の先端に着脱可能に取り付けるジョイント部２４が形成されている。
【００３９】
ヘッド部２２は、保持部１１の連結支持部材１５の基端側に開口するネジ穴に差し込んだ蝶ネジ２３を螺合させる雌ネジが刻設されており、その雌ネジの法線方向に延在する突起形状２２ａが周方向に連続するように形成されている。
【００４０】
これにより、このヘッド部２２は、蝶ネジ２３と突起形状２２ａとの間に板形状の連結支持部材１５の基端側を挟み込むことにより、例えば、円筒型カットアウト１００の設置位置に対する作業方向などに応じて、その連結支持部材１５を所望の角度で延在する状態に連結することができ、その連結支持部材１５の先端側の棒状部材１２などが所望の姿勢になるように取り付けることができる。すなわち、このヘッド部２２が姿勢調整手段を構成している。なお、この脱着部２１のヘッド部２２は、相似形状のヘッド部を突起形状２２ａ同士が噛み合うように係合させることにより、所望の相対角度姿勢で連結接続することのできる汎用の所謂、菊座アダプタを流用したものである。
【００４１】
ジョイント部２４は、絶縁操作棒３０の先端側を差込可能に基端側の後端面が開口する有底の円筒形状に形成されており、その円筒部の互いに反対側となる周面が概略Ｔ字形状に切り欠かれることにより、後端面（絶縁操作棒３０）側から先端側に向う差込切欠部２６と、この差込切欠部２６の直交方向の両側に連続するように屈折する係合切欠部２７と、が一対形成されている。
【００４２】
これにより、ジョイント部２４は、汎用の絶縁操作棒３０の先端に取付操作アダプタ１０を着脱可能にすることができ、その絶縁操作棒３０を他の先端工具などと共通に使用することを可能にして、円筒型カットアウト１００の蓋部材１３４の取付操作工具を専用の道具として準備する必要性を回避することができる。
【００４３】
これに対して、絶縁操作棒３０は、図３に示すように、先端部の互いに反対側となる側面に突起形状に一対立設されることにより脱着部２１のジョイント部２４の２箇所の切欠部２６、２７内に挿し込んで係合させることのできるピン３１と、先端部の先端面に配設されて不図示の内蔵スプリングにより突出方向に付勢されている突起３２と、先端部の外周に刻設されている不図示のネジ形状に螺合して進退可能なグリップ３３と、滑り難い材質の取替え可能な滑り止が施されて作業員の把持する基端部側の把持部３４と、を備えている。
【００４４】
これにより、絶縁操作棒３０は、脱着部２１のジョイント部２４内に先端部を差し込んで突起３２を内蔵スプリングの弾性力に抗して沈ませつつ、ピン３１の双方をそのジョイント部２４の切欠部２６、２７内に進入させて回転させた後に、その進入させる力を解放することにより、突起３２がスプリングの弾性力により突出してジョイント部２４を押し出すことになり、その係合切欠部２７から屈曲する係合溝２７ａ内にピン３１を離脱不能に係合させることができる。さらに、この絶縁操作棒３０は、グリップ３３を回転させてジョイント部２４側に寄せることによりピン３１が係合溝２７ａ内から離脱して回転しないようにロックすることができ、脱着部２１（取付操作アダプタ１０）が相対回転して外れてしまうことを信頼性高く防止して取り扱い易くすることができる。ここで、この絶縁操作棒３０は、中間部分に傘カバー３５、３６が取り付けられているとともに、全体をプラスチックなどの絶縁材料で作製されることにより絶縁性が確保されており、先端側の傘カバー３５が取付操作アダプタ１０側からの水分を滴下させるとともに、基端側の傘カバー３６が安全に作業を行い得る限界位置を示して、作業する際の安全を確保している。
【００４５】
次に、この取付操作アダプタ１０を絶縁操作棒３０の先端に取り付けて、円筒型カットアウト１００の挿入口１３３に蓋部材１３４を取り付ける作業手順を図８〜図１１を用いて説明する。
【００４６】
まず、蓋部材１３４の円筒形状部１３４ａが傘形状部１３４ｃの前面側（絶縁操作棒３０に接近する手前側）に向いている際には、図７に示すように、その蓋部材１３４を吊り下げる吊り下げ紐１３８に、取付操作アダプタ１０の保持部１１の棒状部材１２を先端部１２ｂから引っ掛けてその吊り下げ紐１３８の背面側に水平部１２ａを位置させた状態にする。次いで、この状態のまま取付操作アダプタ１０を降下させることにより、棒状部材１２を蓋部材１３４の傘形状部１３４ｃと吊り下げ紐１３８の間に進入させる状態にして円筒形状部１３４ａを囲むようにセットすることができる。
【００４７】
そして、この状態から、図８に示すように、絶縁操作棒３０先端の取付操作アダプタ１０をそのまま上方の遠隔位置に設置されている円筒型カットアウト１００に向けたときには、蓋部材１３４の傘形状部１３４ｃの下面側を棒状部材１２の水平部１２ａで直接支持するとともに、その円筒形状部１３４ａの下端部を受け部材１３の本体部１３ａに載置する状態で直接支持することができ、その蓋部材１３４を安定した姿勢で保持しつつ円筒型カットアウト１００の挿入口１３３内に差し込んで押し付けて取り付けることができる。
【００４８】
一方、蓋部材１３４の円筒形状部１３４ａが傘形状部１３４ｃの背面側に向いている際には、図９に示すように、取付操作アダプタ１０の保持部１１の棒状部材１２の水平部１２ａを蓋部材１３４の吊り下げ紐１３８の背面側に位置させるとともに、その先端部１２ｂをその吊り下げ紐１３８の手前側に位置させた状態にする。次いで、この状態から、図１０に示すように、取付操作アダプタ１０を棒状部材１２の先端部１２ｂ側に略９０度回転させる方向（図中の反時計回り方向）に回転させた姿勢にして、この姿勢のまま降下させることにより、その蓋部材１３４の吊り下げ紐１３８が連結されている円筒形状部１３４ａの外面に、棒状部材１２の湾曲形状で斜めの状態の水平部１２ａが突き当たって、図１１に示すように、その蓋部材１３４が円筒形状部１３４ａと吊り下げ紐１３８の連結箇所付近を中心に回転（反転）する。この結果、蓋部材１３４の傘形状部１３４ｃと吊り下げ紐１３８の間に棒状部材１２を進入させた状態で円筒形状部１３４ａを囲むようにセットすることができる。
【００４９】
この状態からは、図７を用いて説明したように、蓋部材１３４の円筒形状部１３４ａが傘形状部１３４ｃの前面側に向いている際と同様の状態にすることができたので、以降同様に、絶縁操作棒３０先端の取付操作アダプタ１０をそのまま上方の遠隔位置に設置されている円筒型カットアウト１００に向けて、棒状部材１２と受け部材１３とで直接支持して保持する蓋部材１３４を、そのまま円筒型カットアウト１００の挿入口１３３内に差し込んで取り付けることができる。
【００５０】
このように本実施形態においては、蓋部材１３４の円筒形状部１３４ａが手前側あるいは背面側に位置するような姿勢で吊り下げ紐１３８に吊り下げられている場合でも、絶縁操作棒３０先端の取付操作アダプタ１０の棒状部材１２と受け部材１３とで直接安定した姿勢でその蓋部材１３４を支持して保持することができる。そして、この取付操作アダプタ１０は、棒状部材１２が蓋部材１３４の円筒形状部１３４ａの周囲に位置してその傘形状部１３４ｃの下面を支持するので、メーカーの異なる円盤形状部１３４ｂでも同様に支持することができ、そのまま円筒型カットアウト１００の挿入口１３３内に差し込んで確実に取り付けることができる。したがって、円筒型カットアウト１００に不規則な姿勢で吊り下げ紐１３８に吊り下げられている蓋部材１３４であっても、また、強風などの作業環境であっても、その円筒型カットアウト１００下部の挿入口１３３にその蓋部材１３４を容易に取り付けて閉止することができる。
【００５１】
次に、図１２〜図１８は本発明に係る円筒型カットアウトの蓋部材の取付操作工具の第２実施形態を示す図であり、この取付操作工具は、上述実施形態と同様に構成されて、図１２に示す取付操作アダプタ４０を図３に示す絶縁操作棒３０の先端に取り付けて使用するように設計されているので、上述実施形態と同様の構成には同一の符号を付して特徴部分を説明する。
【００５２】
図１２において、取付操作アダプタ４０は、円筒型カットアウト１００の蓋部材１３４を保持する保持部４１に、図３に示す絶縁操作棒３０の先端に着脱するジョイント部２４が直接連設されており、この保持部４１は、図１３に示すように、棒状部材４２の取付部４２ｄを、円筒部材４３の外周面にその軸方向にスライド可能に取り付けることにより、上述実施形態と同様に、遠隔位置の円筒型カットアウト１００への蓋部材１３４の取付作業を行うことを可能にする。
【００５３】
棒状部材４２は、上述実施形態と同様に、図１４に示すように、蓋部材１３４の円筒形状部１３４ａを側方から案内可能に開口するとともに、その周囲の少なくとも半周程度以上を囲むことのできる概略円形形状になるように形成されており、この棒状部材４２でも、円筒部材４３の上端面と略平行になる水平部４２ａが水平方向に周回している。また、この棒状部材４２は、その水平部４２ａの先端部４２ｂがその接線方向に延長されて円筒部材４３側（絶縁操作棒３０に接近する手前側）に屈曲するように形成されており、その先端部４２ｂが円筒部材４３の後述する上面側開口縁４３ａよりも外方に位置するように作製されている。さらに、この棒状部材４２は、先端部４２ｂの反対側に位置する水平部４２ａから取付部４２ｄに至る途中の連設部４２ｃは、その水平部４２ａから接線方向に水平に延長された後に屈折して戻るように形成されており、開口縁４３ａの上面側から見た状態では円弧形状の水平部４２ａから先端部４２ｂと平行に外方に延在するように形成されている。
【００５４】
これにより、この棒状部材４２は、蓋部材１３４の円筒形状部１３４ａを先端部４２ｂと連設部４２ｃの間に位置させつつ水平部４２ａ側に容易に案内することができ、その水平部４２ａにより蓋部材１３４の傘形状部１３４ｃの下面側を支持して保持することができる。
【００５５】
円筒部材４３は、棒状部材４２の水平部４２ａと略一致する同径の円形形状で上端側が開口するように設計されており、この円筒部材４３は、その上端側の開口縁４３ａ内に蓋部材１３４の円筒形状部１３４ａを差し込むことができ、その蓋部材１３４の傘形状部１３４ｃの下面側をその開口縁４３ａで支持して保持することができるように作製されている。
【００５６】
すなわち、この円筒部材４３は、保持部材を構成しており、その棒状部材１２の先端部１２ｂや連設部１２ｃが接線方向延長されているので、その水平部１２ａを開口縁４３ａ上に重ねることができ、この開口縁４３ａ上に位置する棒状部材１２の水平部１２ａを介して蓋部材１３４の傘形状部１３４ｃの下面側を支持して保持することができる。このため、本実施形態の棒状部材４２でも、単独で蓋部材１３４を支持する必要をなくすことができ、主に、円筒部材４３の開口縁４３ａがその蓋部材１３４を支持・保持して円筒型カットアウト１００の挿入口１３３への取付作業を実現し、その必要な強度を少なくして安価かつ軽量に作製することを可能にする。
【００５７】
また、棒状部材４２の取付部４２ｄは、連設部４２ｃから円筒部材４３の軸方向と平行になるように絶縁操作棒３０（ジョイント部２４）側に延長された後に折り返されることによりその間にスリット４２ｅが形成されており、このスリット４２ｅ内で離隔する位置の円筒部材４３の外周面に蝶ネジ４４と通常ネジ４５を緩めに螺合させることより、その棒状部材４２が円筒部材４３の軸方向にスライドすることを許容する状態で取り付けられている。
【００５８】
これにより、この棒状部材４２は、水平部４２ａを円筒部材４３の開口縁４３ａに接近あるいは離隔させる方向、すなわち、円筒部材４３の開口縁４３ａ内に差し込む蓋部材１３４の円筒形状部１３４ａの突出方向と平行にスライドすることができる。なお、この棒状部材４２は、その蝶ネジ４４と通常ネジ４５の螺合させる程度に応じて保持する強度を調整することができ、さらに、蝶ネジ４４を強く螺合させることにより、円筒部材４３の外周面にスライド不能に固定することができる。
【００５９】
次に、この取付操作アダプタ４０を絶縁操作棒３０の先端に取り付けて、円筒型カットアウト１００の挿入口１３３に蓋部材１３４を取り付ける作業手順を図１５〜図１８を用いて説明する。
【００６０】
まず、蓋部材１３４の円筒形状部１３４ａが傘形状部１３４ｃの前面側に向いている際には、保持部４１の棒状部材４２の水平部４２ａが円筒部材４３の開口縁４３ａに接近する状態のまま取付操作アダプタ４０を先端側に取り付けた絶縁操作棒３０を操作して、図１５に示すように、その蓋部材１３４を吊り下げる吊り下げ紐１３８に、棒状部材４２の先端部４２ｂから引っ掛けて引くことにより、円筒部材４３の開口縁４３ａから棒状部材４２の水平部４２ａが離隔するように取付部４２ｄをスライドさせることができ、その吊り下げ紐１３８の背面側に水平部１２ａを位置させた状態にする。次いで、この状態のまま取付操作アダプタ４０を降下させることにより、棒状部材１２を蓋部材１３４の傘形状部１３４ｃと吊り下げ紐１３８の間に進入させる状態にして円筒形状部１３４ａを囲むようにセットすることができる。この状態から、そのまま円筒部材４３の開口縁４３ａを上方に向けるように立てた状態にすることにより、その円筒部材４３の開口縁４３ａに棒状部材４２の水平部４２ａが接近する方向に取付部４２ｄを自重によりスライドさせることができ、蓋部材１３４の円筒形状部１３４ａをその円筒部材４３の開口縁４３ａ内に差し込んだ状態にすることができる。
【００６１】
そして、この状態から、図１６に示すように、絶縁操作棒３０先端の取付操作アダプタ４０をそのまま上方の遠隔位置に設置されている円筒型カットアウト１００に向けたときには、蓋部材１３４の傘形状部１３４ｃの下面側を棒状部材４２の水平部１２ａを介して円筒部材４３の開口縁４３ａで直接支持することができ、その蓋部材１３４を安定した姿勢で保持しつつ円筒型カットアウト１００の挿入口１３３内に差し込んで押し付けて取り付けることができる。
【００６２】
一方、蓋部材１３４の円筒形状部１３４ａが傘形状部１３４ｃの背面側に向いている際には、まずは同様に取付操作アダプタ４０を先端側に取り付けた絶縁操作棒３０を操作して、図１７に示すように、円筒部材４３の開口縁４３ａから棒状部材４２の水平部４２ａが離隔するように取付部４２ｄをスライドさせた状態にして、棒状部材４２の水平部４２ａを蓋部材１３４の吊り下げ紐１３８の背面側に位置させるとともに、その先端部４２ｂをその吊り下げ紐１３８の手前側に位置させた状態にする。次いで、この状態から、取付操作アダプタ４０を棒状部材４２の先端部４２ｂ側に略９０度回転させる方向（図中の反時計回り方向）に回転させた姿勢にして、この姿勢のまま降下させることにより、その蓋部材１３４の吊り下げ紐１３８が連結されている円筒形状部１３４ａの外面に、棒状部材１２の湾曲形状で斜めの状態の水平部１２ａが突き当たって、図１８に示すように、その蓋部材１３４が円筒形状部１３４ａと吊り下げ紐１３８の連結箇所付近を中心に回転（反転）する。この結果、蓋部材１３４の傘形状部１３４ｃと吊り下げ紐１３８の間に棒状部材１２を進入させた状態で円筒形状部１３４ａを囲むようにセットすることができ、この後には、同様にそのまま円筒部材４３の開口縁４３ａを上方に向けるように立てた状態にすることにより、その蓋部材１３４と棒状部材４２の自重により取付部４２ｄをスライドさせて、円筒部材４３の開口縁４３ａ内に蓋部材１３４の円筒形状部１３４ａを差し込んだ状態にすることができる。
【００６３】
この状態からは、図１６を用いて説明したように、蓋部材１３４の円筒形状部１３４ａが傘形状部１３４ｃの前面側に向いている際と同様の状態にすることができたので、以降同様に、絶縁操作棒３０先端の取付操作アダプタ４０をそのまま上方の遠隔位置に設置されている円筒型カットアウト１００に向けて、棒状部材４２と円筒部材４３の開口縁４３ａで直接支持して保持する蓋部材１３４を、そのまま円筒型カットアウト１００の挿入口１３３内に差し込んで取り付けることができる。
【００６４】
このように本実施形態においては、上述実施形態による作用効果に加えて、棒状部材４２を円筒部材４３に対してスライド可能に取り付けることにより、その棒状部材４２の水平部４２ａを円筒部材４３の開口縁４３ａに接近させたコンパクトな状態にすることができる。そして、使用する際には、上述実施形態と同様に、蓋部材１３４の円筒形状部１３４ａを棒状部材４２に位置決め保持させて円筒部材４３の上端面側に接近させることによりその円筒形状部１３４ａを円筒部材４３の開口縁４３ａ内に差し込むことができ、その蓋部材１３４の傘形状部１３４ｃや異なるメーカーの円盤形状部１３４ｂでもその下面側を主に円筒部材４３の開口縁４３ａで直接支持して、その蓋部材１３４を安定した姿勢で保持することができる。したがって、この取付操作アダプタ４０では、円筒部材４３の開口縁４３ａに棒状部材４２を接近させて外力により変形してしまうことを少なくするコンパクトな状態にして持ち運びすることができ、使用する際には、上述実施形態と同様に、円筒型カットアウト１００に不規則な姿勢で吊り下げ紐１３８に吊り下げられている蓋部材１３４であっても、強風などの作業環境であっても、その円筒型カットアウト１００下部の挿入口１３３にその蓋部材１３４を容易に取り付けて閉止することができる。
【００６５】
ここで、本実施形態では、円筒部材４３を絶縁操作棒３０の先端にジョイント部２４により直接取り付ける構造に設計する場合を一例に説明するが、これに限るものではなく、その円筒部材４３とジョイント部２４の間に、第１実施形態と同様に、姿勢調整手段を配設して、絶縁操作棒３０に対して棒状部材４２と円筒部材４３を所望の姿勢に調整できるようにしてもよいことは言うまでもない。
【産業上の利用可能性】
【００６６】
これまで本発明の一実施形態について説明したが、本発明は上述の実施形態に限定されず、その技術的思想の範囲内において種々異なる形態にて実施されてよいことは言うまでもない。
【図面の簡単な説明】
【００６７】
【図１】本発明に係る円筒型カットアウトの蓋部材の取付操作工具の第１実施形態を示す図であり、その汎用の絶縁操作棒の先端に取り付ける取付操作アダプタの全体構成を示す立面図である。
【図２】その取付操作アダプタの要部構成を示す図であり、（ａ）はその一部拡大上面図、（ｂ）はその一部拡大側面図である。
【図３】その絶縁操作棒の全体構成を示す平面図である。
【図４】その円筒型カットアウトの全体構成を示す一部断面立面図である。
【図５】その図４と異なるメーカーの円筒型カットアウトの全体構成を示す一部断面立面図である。
【図６】その円筒型カットアウトの下部に開口する挿入口を閉止する蓋部材の吊り下げた状態を示す図であり、（ａ）〜（ｃ）はその蓋部材のメーカー毎に異なる形状と吊り下げ形態を示す側面図である。
【図７】この取付操作アダプタを絶縁操作棒の先端に取り付けて円筒型カットアウトの挿入口に蓋部材を取り付ける作業手順を説明する図であり、その蓋部材の取付操作アダプタによる保持操作を説明する状態図である。
【図８】その図７に続く蓋部材の取付操作アダプタによる保持操作を説明する状態図である。
【図９】その図７と異なる状態で吊り下げられている蓋部材の取付操作アダプタによる保持操作を説明する状態図である。
【図１０】その図９に続く蓋部材の取付操作アダプタによる保持操作を説明する状態図である。
【図１１】その図１０に続く蓋部材の取付操作アダプタによる保持操作を説明する状態図である。
【図１２】本発明に係る円筒型カットアウトの蓋部材の取付操作工具の第２実施形態を示す図であり、（ａ）はその汎用の絶縁操作棒の先端に取り付ける取付操作アダプタの全体構成を示す立面図、（ｂ）はその側面図である。
【図１３】その取付操作アダプタの使用時の途中の状態を示す図であり、（ａ）はその立面図、（ｂ）はその側面図である。
【図１４】その取付操作アダプタの要部構成を示す拡大上面図である。
【図１５】この取付操作アダプタを絶縁操作棒の先端に取り付けて円筒型カットアウトの挿入口に蓋部材を取り付ける作業手順を説明する図であり、その蓋部材の取付操作アダプタによる保持操作を説明する状態図である。
【図１６】その図１５に続く蓋部材の取付操作アダプタによる保持操作を説明する状態図である。
【図１７】その図１５と異なる状態で吊り下げられている蓋部材の取付操作アダプタによる保持操作を説明する状態図である。
【図１８】その図１７に続く蓋部材の取付操作アダプタによる保持操作を説明する状態図である。
【符号の説明】
【００６８】
１０、４０……取付操作アダプタ    １１、４１……保持部    １２、４２……棒状部材    １２ａ、４２ａ……水平部    １２ｂ、４２ｂ……先端部    １３……受け部材    １３ａ……本体部    １３ｂ……傾斜部    １４……壁面部材    １４ｂ……先端部    １５……連結支持部材    ２１……脱着部    ２２……ヘッド部    ２３……蝶ネジ    ２４……ジョイント部    ２６……差込切欠部    ２７……係合切欠部    ２７ａ……係合溝    ３０……絶縁操作棒    ３１……ピン    ３２……突起    ３３……グリップ    ３４……把持部    ３５、３６……傘カバー    ４２ｄ……取付部    ４２ｅ……スリット    ４３……円筒部材    ４３ａ……開口縁    ４４……蝶ネジ    ４５……通常ネジ    １００……円筒型カットアウト    １３１……本体部    １３２……ヒューズ筒    １３３……挿入口    １３４、１３４Ａ〜１３４Ｃ……蓋部材    １３４ａ……円筒形状部    １３４ｂ……円盤形状部    １３４ｃ……傘形状部    １３８……吊り下げ紐
【図１】
2008243614.tif 000003
【図２】
2008243614.tif 000004
【図３】
2008243614.tif 000005
【図４】
2008243614.tif 000006
【図５】
2008243614.tif 000007
【図６】
2008243614.tif 000008
【図７】
2008243614.tif 000009
【図８】
2008243614.tif 000010
【図９】
2008243614.tif 000011
【図１０】
2008243614.tif 000012
【図１１】
2008243614.tif 000013
【図１２】
2008243614.tif 000014
【図１３】
2008243614.tif 000015
【図１４】
2008243614.tif 000016
【図１５】
2008243614.tif 000017
【図１６】
2008243614.tif 000018
【図１７】
2008243614.tif 000019
【図１８】
2008243614.tif 000020